(57)【要約】【課題】袋開口部を封鎖したオーバーテープの端部に、開封用の切り込みを自動的に形成することができる袋のテーピング装置を提供すること。【解決手段】袋封鎖装置により、袋１の上端袋口部を折り返し、カットテープが装着されたオーバーテープを袋口部に被せて貼り付け、オーバーテープを一端部が袋の側端より突出するよう切断し、キャリアチェーン９によって、袋１を起立状態で、オーバーテープの突出部分を下流側に向けて切り込み形成装置８へ送り、切り込み形成装置８は、カットテープの移動経路を挟んで上下側に、移動経路を横切って突出・没入可能に設置された２枚のカッター２５を有し、オーバーテープの一端部がカッター２５の設置位置に達した時、突出したカッター２５がオーバーテープの一端部に切り込みを形成する。【選択図】図８
0003126310.tif 000002
【実用新案登録請求の範囲】
【請求項１】
袋を起立状態で搬送する搬送装置と、該搬送装置の搬送経路上流側及び下流側にそれぞれ設置された袋封鎖装置及び切り込み形成装置とから成り、前記袋封鎖装置は、前記袋の上端袋口部を折り返し、裏面にカットテープが装着されたオーバーテープを、前記袋口部を両面から覆うように上方から被せて貼り付け、オーバーテープをその一端部が袋の側端より突出するよう切断し、前記搬送装置は、前記オーバーテープの突出部分を下流側に向けて、前記袋を袋封鎖装置から切り込み形成装置へ送り、前記切り込み形成装置は、前記カットテープを挟んだ上下側において、前記オーバーテープの移動経路を横切って一側から他側へ突出・没入可能に設置された２枚のカッターを有し、前記オーバーテープの一端部が前記カッターの設置位置に達した時、突出した前記カッターが前記オーバーテープの一端部に切り込みを形成することを特徴とした袋のテーピング装置。
【請求項２】
前記オーバーテープの移動経路の他側に前記カッターと対向して刃受けを設置し、該刃受けによって前記カッターの突出量を規制すると共に、前記オーバーテープの一端部表面を支持する請求項１に記載された袋のテーピング装置。
【請求項３】
前記カッターの上流側に位置検出装置を設置し、該位置検出装置が前記オーバーテープの一端を感知したとき、前記カッターがオーバーテープの移動経路の他側へ向けて突出し、前記袋の側端が前記カッターに達する前に、該カッターがオーバーテープの移動経路から退避する請求項１又は２に記載された袋のテーピング装置。
【考案の詳細な説明】
【技術分野】
【０００１】
本考案は、袋のテーピング装置に関する。
【背景技術】
【０００２】
穀類、粉体等を収納した袋は、上端開口部を折り返し、その外面にオーバーテープを貼り付けて封鎖することがある。
このような袋を封鎖する装置として、袋を口を上にした状態で懸吊状に挟持して搬送する前後一対のキャリヤチェーンと、袋の上端部を紙テープでテーピングするテーピング機構とを備え、テーピング機構の前段に袋の上端部を折り返す折返し機構が設けられた封鎖装置が公知である（特許文献１参照）。
しかしながら、この封鎖装置で封鎖した袋は、内容物を取り出す際に、紙テープを剥がすか、刃物で袋を切断しなければならず、開封が面倒であった。
【０００３】
【特許文献１】特許第３５８１８７５号公報
【考案の開示】
【考案が解決しようとする課題】
【０００４】
本考案が解決しようとする課題は、袋開口部を封鎖したオーバーテープの端部に、開封用の切り込みを自動的に形成することができる袋のテーピング装置を提供することにある。
【課題を解決するための手段】
【０００５】
本考案の袋のテーピング装置は、袋を起立状態で搬送する搬送装置と、該搬送装置の搬送経路上流側及び下流側にそれぞれ設置された袋封鎖装置及び切り込み形成装置とから成り、前記袋封鎖装置は、前記袋の上端袋口部を折り返し、裏面にカットテープが装着されたオーバーテープを、前記袋口部を両面から覆うように上方から被せて貼り付け、オーバーテープをその一端部が袋の側端より突出するよう切断し、前記搬送装置は、前記オーバーテープの突出部分を下流側に向けて、前記袋を袋封鎖装置から切り込み形成装置へ送り、前記切り込み形成装置は、前記カットテープを挟んだ上下側において、前記オーバーテープの移動経路を横切って一側から他側へ突出・没入可能に設置された２枚のカッターを有し、前記オーバーテープの一端部が前記カッターの設置位置に達した時、突出した前記カッターが前記オーバーテープの一端部に切り込みを形成する。
【０００６】
前記オーバーテープの移動経路の他側に前記カッターと対向して刃受けを設置し、該刃受けによって前記カッターの突出量を規制すると共に、前記オーバーテープの一端部表面を支持しても良い。
前記カッターの上流側に位置検出装置を設置し、該位置検出装置が前記オーバーテープの一端を感知した時、前記カッターがオーバーテープの移動経路の他側へ向けて突出し、前記袋の側端が前記カッターに達する前に、該カッターが前記オーバーテープの移動経路から退避することがある。
【考案の効果】
【０００７】
請求項１に係る考案によれば、袋口部を被覆するオーバーテープの一端に、カットテープを挟んで開封用の切り込みを自動的に形成することができ、この結果、切り込みの間に位置するカットテープの端部をつまんで引っ張れば、簡単にオーバーテープを引き裂いて開封することができる。
請求項２及び請求項３に係る考案によれば、オーバーテープの安定した位置に正確な寸法で確実に切り込みを形成することが可能となる。
【考案を実施するための最良の形態】
【０００８】
以下、本考案の実施例を図面に基づいて詳細に説明する。
図１に示すように、本考案のテーピング装置で封鎖した袋１は、クラフト紙、ラミネート紙等を素材とし、袋口部を折り返し、その外面に幅方向全長に亘ってオーバーテープ２を貼り付けてある。
オーバーテープ２は、紙テープの裏面に接着剤を塗布し、裏面の中心線より一側寄りに、中心線と平行にカットテープ３を装着して成る。そして、このオーバーテープ２を半幅に折り、袋１の表裏面上端部に上方から被せて熱融着してある。
【０００９】
また、オーバーテープ２の一端部は袋１の一側端よりも突出し、この突出部分の側端部には、カットテープ３を挟んで上下側に切り込み４が形成されている。従って、切り込み４の間に位置するカットテープ３の一端部をつまみ、他端部まで引っ張ると、オーバーテープ２が切断される。
なお、カットテープ３は袋１の開口端と一致するよう配置され、カットテープ３に沿ってオーバーテープ２を引き裂くと、袋１の開口端が露出するようになっている。
【００１０】
図３に示すように、本発明の袋のテーピング装置５は、袋１を起立状態で搬送する搬送装置６と、搬送装置６の搬送経路上流側及び下流側にそれぞれ設置された袋封鎖装置７及び切り込み形成装置８とから成る。
搬送装置６は、図２及び図３に示すように、袋１の上部を前後両側から挟んで搬送する一対の無端状のキャリアチェーン９と、袋１の底部を支持するコンベア１０とを有する。
一対のキャリアチェーン９は、モータ１１で駆動され、テーピング装置５の長手方向に沿って配置されたチェーンガイド１２に案内されて、互いに平行に、且つ、逆回転する。また、キャリアチェーン９の対向する長辺どうしは近接して同じ方向に移動し、キャリアチェーン９の外周面に袋１を挟む挟持片１３が装着されている。
そして、前後のキャリアチェーン９の間には、内容物が充填された袋１の上部が送り込まれ、搬送装置６は袋１を、その一側端部を下流側に向けて幅方向に沿って連続的に移送する。
【００１１】
袋封鎖装置７は、袋１の上端部を折り返す折り返し機構１４と、折り返し機構１４の下流側に設置されたテーピング機構１５とを備える。
折り返し機構１４では、袋１の折り返し位置に沿ってローラで筋目を付け、この筋目から折り曲げホーマーで折り返す。
テーピング機構１５は、ロール状に巻いたオーバーテープ２を回動可能に支持するテープ支持部１６と、テープ支持部１６から引き出したオーバーテープ２を折り返した袋口部に上方から被せる装着部１７と、袋口部に被せたオーバーテープ２を切断する切断機構１８と、袋口部に被せたオーバーテープ２を前後から挟んで加熱するヒータ１９と、加熱したオーバーテープ２を袋１に押付ける圧着ローラ２０とを有する。
【００１２】
図４及び図５に示すように、装着部１７は、折り返した袋口部を案内する下方が開口した断面逆Ｕ字形の案内枠２１と、案内枠２１の外面に隙間を開けて被覆された断面逆Ｕ字形の外面枠２２とを有する。
そして、搬送装置６が袋１を搬送すると、テープ支持部１６から引き出されたオーバーテープ２を案内枠２１と外面枠２２との間に引き込んで半幅に折り曲げ、案内枠２１の内部を通過する袋口部の外面に被せて排出するようになっている。
なお、オーバーテープ２は、その裏面に装着されたカットテープ３が折り返された袋口部の開口端と一致するよう被せられる。
【００１３】
切断機構１８は、装着枠１７の排出口の下流側に設けられ、図６に示すように、袋１の袋口部に被せたオーバーテープ２の移動経路を横断するよう揺動する揺動刃２３を備える。
揺動刃２３より上流側に設置された検出装置が袋１の通過を検知すると、検出装置から揺動刃２３の駆動機構に信号が発信され、揺動刃２３が揺動してオーバーテープ２を所定長さに切断する。
なお、揺動刃２３による切断位置は、オーバーテープ２の一端部が袋１の側端よりも突出するよう設定されている。
【００１４】
搬送装置６は、オーバーテープ２の突出した一端部を下流側に向けて袋１を搬送し、前後のヒータ１９の間にオーバーテープ２で被覆した袋口部を送り込む。
図２に示すように、ヒータ１９はオーバーテープ２を前後側から挟んで加熱し、さらにその下流側に設置された圧着ローラ２０がオーバーテープ２の表面を押圧して、オーバーテープ２を袋１に熱融着する。
以上に説明した搬送装置６及び袋封鎖装置７の構造及び作用は、従来のものとほぼ同様なので、詳しく図示しない。
【００１５】
切り込み形成装置８は、図７及び図８に示すように、オーバーテープ２の位置を検知する位置検出装置２４と、位置検出装置２４よりやや下流側において、カットテープ３を挟んだ上下側に設置された２枚のカッター２５とを有する。
カッター２５は、エアシリンダ等の出入り作動装置２６の先端に設けた基板２７に取り付けられる。
出入り作動装置２６は、オーバーテープ２の移動経路の一側に設置され、出入り作動装置２６が駆動すると、カッター２５は、オーバーテープ２の移動経路を横切って一側から他側へ突出・没入するようになっている。
【００１６】
オーバーテープ２の移動経路の他側には、カッター２５と対向して刃受け２８が設置される。刃受け２８の表面はオーバーテープ２の移動経路に接し、搬送されるオーバーテープ２を支持するようになっている。また、刃受け２８には突出したカッター２５を受け入れるスリットが形成される。
出入り作動装置２６が駆動して基板２７及びカッター２５が突出すると、基板２７が刃受け２８に当接し、カッター２５の突出量が規制される。
【００１７】
なお、カッター２５の刃先は、下流側ほど刃受け２８に接近するよう傾斜しており、基板２７が刃受け２８に当接すると、カッター２５の刃先がオーバーテープ２の移動経路を完全に横断するようになっている。
また、刃受け２８と基板２７の対向面の上流側端部は、袋口部を覆うオーバーテープ２がその間に進入しやすいように、下流側ほど移動経路に接近したテーパー面となっている。
【００１８】
位置検出装置２４が搬送される袋１のオーバーテープ２の一端を検知すると、出入り作動装置２６が作動して基板２７及びカッター２５が突出し、基板２７が刃受け２８に当接すると共に、カッター２５の刃先がオーバーテープ２の移動経路を横断する。
搬送される袋１の袋口部及びこれを覆うオーバーテープ２が基板２７と刃受け２８との間を通過するのに伴って、下流側に向けたオーバーテープ２の一端部にカッター２５で切り込み４が形成される。
【００１９】
カッター２５はカットテープ３の上下側に配置されているので、図１に示すように、切り込み４はカットテープ３を挟んで上下に形成される。
そして、袋１の側端がカッター２５に達する前に出入り作動装置２６が元の位置に復帰し、カッター２５はオーバーテープ２の移動経路から退避するため、切り込み４は袋１の側端に達しない短いものとなる。
以上で袋１のテーピングが完了し、搬送装置６は袋１をテーピング装置から排出する。
【図面の簡単な説明】
【００２０】
【図１】袋の要部斜視図。
【図２】本発明の実施例を示す袋のテーピング装置の要部断面図。
【図３】本発明の実施例を示す袋のテーピング装置の側面図。
【図４】装着枠の側面図。
【図５】装着枠の断面図。
【図６】切断機構の正面図。
【図７】本発明の実施例を示す袋のテーピング装置の要部拡大側面図。
【図８】本発明の実施例を示す袋のテーピング装置の要部拡大平面図。
【符号の説明】
【００２１】
１  袋
２  オーバーテープ
３  カットテープ
４  切り込み
５  袋のテーピング装置
６  搬送装置
７  袋封鎖装置
８  切り込み形成装置
９  キャリアチェーン
１０  コンベア
１１  モータ
１２  チェーンガイド
１３  挟持片
１４  折り返し機構
１５  テーピング機構
１６  テープ支持部
１７  装着枠
１８  切断機構
１９  ヒータ
２０  圧着ローラ
２１  案内枠
２２  外面枠
２３  揺動刃
２４  位置検出装置
２５  カッター
２６  出入り作動装置
２７  基板
２８  刃受け
【図３】
0003126310.tif 000003
【図４】
0003126310.tif 000004
【図５】
0003126310.tif 000005
【図６】
0003126310.tif 000006
【図７】
0003126310.tif 000007
【図８】
0003126310.tif 000008
【図１】
0003126310.tif 000009
【図２】
0003126310.tif 000010